(57)【要約】  【課題】  本発明は、リーダーからＲＦタグへの無線通信として、帯域幅を増やさずに周波数利用効率を改善することを１つの目的とする。また、本発明は、ＲＦタグからリーダーへの通信距離を延ばす為に、リーダーからＲＦタグへの電力供給効率を上げる送信方法を提供することを目的とする。【解決手段】  本発明においては、ＲＦタグと無線通信するリーダー装置において、Ｎ値（Ｎは４以上）マンチェスタ符号化変調した信号の各シンボルのピークを一定にし、各シンボルの振幅値を一部異ならせた信号として送出する送出手段と、ＲＦタグからの信号を受信して復調する手段とを有するリーダー装置を用いる。【選択図】        図９
2006005651.tif 000002
【特許請求の範囲】
【請求項１】
タグと無線通信するリーダー装置において、符号の多値数を示す情報を含む無線信号としてタグに送信する手段と、タグからの無線信号を受信して復調する手段とを有するリーダー装置。
【請求項２】
タグと無線通信するリーダー装置において、符号化変調した信号の各シンボルのピークを一定にし、各シンボルの振幅を異ならせた信号として送出する送出手段と、タグからの信号を受信して復調する手段とを有するリーダー装置。
【請求項３】
請求項２記載の符号化変調はＮ値（Ｎは４以上）マンチェスタ符号化とすることを特徴とするリーダー装置。
【請求項４】
タグと無線通信するリーダー装置において、同期パターン信号を生成する手段と、データ識別のしきい値を示す信号を生成する手段と、これらの信号にデータを付加して、送出データとして出力する手段を有することを特徴とするリーダー装置。
【請求項５】
タグと無線通信するリーダー装置において、複数の多値符号を行なう符号化手段と、該符号化手段の多値を制御する制御手段と、該符号化手段からの符号化信号のピークを一定にし、且つ複数シンボル中の一部シンボルの振幅を小さくする調整手段と、オフセットされた符号を変調する変調手段と、変調された信号を送信する手段と、受信信号を復調して、該制御手段に送出する復調手段とを有することを特徴とするリーダー装置。
【請求項６】
タグへ無線信号を送出する送信方法において、符号の多値数を示す情報を含む信号を生成し、生成された信号を振幅変調する送信方法。
【請求項７】
タグへ無線信号を送信するリーダー装置の送信方法において、同期パターン信号を生成するステップと、符号化信号のデータ識別のしきい値を示す信号を生成するステップと、同期パターン、しきい値を示す信号にデータを付加して、送出するステップとを有することを特徴とするリーダー装置の送信方法。
【請求項８】
タグのＩＤを含む変調信号を受信するタグ装置において、変調前のマンチェスタ符号の多値数を識別する情報を付加した変調信号を受信し、復調する手段と、該多値数を識別する情報を検出して、その情報の多値に応じて復号処理を切り替えて、復号する復号手段とを有するタグ。
【請求項９】
符号化変調を用いて信号を送信するリーダ−装置において、前記信号における多値各シンボルのピーク値が一定になるようにオフセットして、送信する手段を有することを特徴とするリーダ−装置。
【請求項１０】
請求項９記載の符号化変調はマンチェスタ符号振幅変調とすることを特徴とするリーダー装置。
【発明の詳細な説明】
【技術分野】
【０００１】
本発明は、リーダ−/ライタ−(Ｒ／Ｗ)装置、その装置の通信方法及びＲＦタグに関し、例えば、多値符号化  を使用してＡＳＫ変調を行なうＲＦＩＤシステムにおけるリーダ−/ライタ−(Ｒ／Ｗ)装置、その装置の送信方法及びタグに関する。
【背景技術】
【０００２】
従来、リーダー／ライター装置（以下、リーダーと称する。）とＲＦタグとでＲＦＩＤ通信は振幅変調等の信号で行なわれている。従来のリーダー，ＲＦタグの一例について、説明する。
【０００３】
図１は、従来のリ−ダーの構成を示す。図２は、従来のコマンドフォーマットを示す。
【０００４】
図３は、従来の２値マンチェスタ符号化ＡＳＫ信号の波形を示す。
【０００５】
図１において、リーダー１０はＬＡＮ２１とで情報信号の受信又はタイミング情報の送信をプロセッサ３０を介して行なう。プロセッサ３０は自身で生成したコマンドおよびＬＡＮ２１から受信した情報信号を図２に示すコマンドフォーマットに示すデータに加工して、フィルタ１１へ出力する。プロセッサ３０の詳細構成については、後述説明する。
【０００６】
フィルタ１１はプロセッサ３０からのデータの帯域を制限した信号としてＡＳＫ変調器１２へ出力する。ＡＳＫ変調器１２は発振器１４からの搬送信号をフィルタ１１からの信号にてＡＳＫ（振幅変調）される。その振幅変調された信号（以下、ＡＳＫ信号と称す。）の波形が図３に示されている。また、ＡＳＫ信号の波形でＡ，Ｂのレベルを用いて、変調度は（Ａ−Ｂ）／（Ａ＋Ｂ）で求められる。また、ＩＳＯ／ＩＥＣ１８０００  Ｐａｒｔ６のｔｙｐｅＢでは、変調度として１８％、又は１００％を使用することが記載されています。
【０００７】
また、ＡＳＫ信号は増幅器１３で増幅され、共用器１５、アンテナ１６を介してＲＦタグに向けて送信する。
【０００８】
次に、リーダーにおけるＲＦタグからの変調バックススキャッタ信号（アンテナの反射率を変えて変調した信号のことを示す）の受信動作については、図１を用いて以下のとおり説明する。  アンテナ１６は受信した変調バックススキャッタ信号（以下、変調信号と称す。）を、共用器１５を介し、増幅器２０で増幅して直交ミキサ１９に出力する。直交ミキサ１９は増幅された変調信号を発振器１４の出力によりＩＦ信号に復調する。フィルタ１８はＬＰＦで、高周波成分を除去することで、ＩＦ信号の隣接チャンネル間干渉を抑えるのに使用している。復調器１７はフィルタ１８からの信号をデータに復調して、プロセッサ３０へ出力する。プロセッサ３０は復調されたデータを処理する、またはプロセッサ３０はＬＡＮ２１にタグから読み込んだデータ等を出力する。
【０００９】
図４は従来のリ−ダーのプロセッサ部の構成を示す。
【００１０】
図４において、制御部３１は上位レイヤからの制御により、ＲＦタグからのアップリンクの伝送レートを４倍にするか否かの制御データ（Delimiter領域に書かれている情報を示す）をフレーム組立部３４へ出力する。ＣＲＣ付加部３２はＬＡＮ２１からのコマンド（Ｃｏｍｍａｎｄ），パラメータ（Ｐａｒａｍｅｔｅｒ）及びデータ（Ｄａｔａ）からなる送信データにＣＲＣ用１６ビットを付加して２値マンチェスタ符号化部３３へ出力する。２値マンチェスタ符号化部３３はＣＲＣ用１６ビットが付加された送信データの１シンボルの符号“１”を１シンボルのマンチェスタ符号“１０”を割り当て、１シンボルの符号“０”を１シンボルのマンチェスタ符号“０１”に割り当てる２値マンチェスタ符号化を施して、フレーム組立部３４に２値マンチェスタ符号化信号として出力する。フレーム組立部３４へ設定されるプリアンブルは例えば、Ｐｒｅａｍｂｌｅ  Ｄｅｔｅｃｔとして１６ビットＡＬＬ“０”とＰｒｅａｍｂｌｅとして９ビットマンチェスタ符号０の固定パターンで構成されている。このＰｒｅａｍｂｌｅ  Ｄｅｔｅｃｔ領域は、データ復調を行なう前にＲＦタグの各部に給電するために必要となる。そうすることで、復調が必要なデータを受信するまえに、ＲＦタグの各部がいつでも受信動作できる。また、Ｐｒｅａｍｂｌｅは受信側、つまりＲＦタグでの同期用の固定パターンが格納されている。
【００１１】
フレーム組立部３４はプリアンブルを先頭に順に制御データ，２値マンチェスタ符号化信号を付加して符号化データを生成する。その符号化データのフォーマットが図２に示されている。また、復号部３５は図１の復調器１７から復調されたＦＭ０符号化信号を復号して、誤り検出部３６へ出力する。誤り検出部３６は復号されたデータの誤り検出して、データの誤り訂正をした受信データを図１のプロセッサ３０で処理する。プロセッサ３０は受信データ内容（例えば、ＲＦタグの応答信号であるＲＦタグのメモリ情報、書き込み処理の完了通知等）を確認する。また、プロセツサ３０は図１のＬＡＮ２１へタグから読み込んだデータ等を送信する。
【００１２】
図５は従来のＲＦタグの構成を示す。
【００１３】
図５において、ＲＦタグ４０は図１のリーダー１０からのＡＳＫ信号をアンテナ４１で受信する。電源生成部４６はアンテナ４１から供給されたＡＳＫ信号を整流して直流電圧に変換して、図示していないが、その直流電圧を各部へ供給する。ＡＳＫ復調器４２はアンテナ４１で受信されたＡＳＫ信号を復調して、論理部４４へ復調したマンチェスタ符号化信号を出力する。論理部４４はマンチェスタ符号化信号を復号して、復号データの中の
コマンドの内容を確認して、書き込みを示すコマンドであれば、復号データ中のＤａｔａをメモリ４５に書き込む。論理部４４は、書き込みが完了すれば、ＡＣＫＮＯＬＥＧＥ  ＯＫ等の情報をＦＭ０符号化し、さらに変調器４３で変調信号にして、リーダー１０へ送信する。
【００１４】
また、論理部４４は復調したデータ中のコマンドの内容を確認して、データ読み出しを示すコマンドであれば、コマンドに後続するＰａｒａｍｅｔｅｒ中のＩＤとメモリ４５のＩＤとの比較して、一致していればＰａｒａｍｅｔｅｒ中のＡｄｄｒｅｓｓに対応するメモリ４５に格納されている情報を読み出す。更に、論理部４４は読み出された情報にＰｒｅａｍｂｌｅ, ＣＲＣビットを付加した信号をＦＭ０符号化し、変調器４３で変調信号にして、リーダー１０に送信する。
【００１５】
上述した、リーダー及びＲＦタグの構成に関する事項は、例えば次の特許文献１、２及び非特許文献１に開示されている。
【特許文献１】特開２００３−１５８４７０号公報
【特許文献２】特表２００２−５２５９３２号公報
【非特許文献１】ＩＳＯ／ＩＥＣ１８０００  Ｐａｒｔ６
【発明の開示】
【発明が解決しようとする課題】
【００１６】
背景技術で説明したように、リーダーからＲＦタグへの情報を送信するのに、変調方式としてタグにおける復調の容易さから、ＡＳＫ変調が多く用いられている。現在、実用化されているＲＦＩＤシステムでは、例えば図２に示すような２値のマンチェスタ符号化ＡＳＫ変調方式による伝送が採用されているが、周波数利用効率が低いという問題がある。      
【００１７】
また、現状のＲＦＩＤシステムとして、米国と違って日本や欧州ではＵＨＦ帯のＲＦＩＤタグシステムに割り当てられている周波数帯域が狭い。複数のリーダ−を近接して利用する場合、お互いの干渉の影響を避けるために、それぞれのリーダーで異なる周波数を用いる必要があるが、利用できる周波数帯域が狭いと多くの周波数チャネルを確保することができないため、利用できるリーダーの数が制限されてしまう問題がある。その結果、ＲＦＩＤシステムとしては、周波数利用効率も悪いシステムとなってしまう。今後、複数のリーダ−を近接して用いるケースが増加することが予想され、一刻も早く帯域幅を増やさずに周波数利用効率を改善するＲＦＩＤシステムの確立が望まれている。
【００１８】
また、図２に示す２値のマンチェスタ符号化ＡＳＫ変調は、1シンボルのデータ符号“１”を１シンボルのマンチェスタ符号“１０”，１シンボルのデータ符号“０”を１シンボルのマンチェスタ符号“０１”に割り当てるので、ピーク電圧をとる時間が短くなり、結果としてマンチェスタ符号“１００１”となる場合、低いレベルの振幅期間が１シンボルに渡って生じてしまう。そのため、従来の２値マンチェスタ符号化ＡＳＫ変調を用いたＲＦＩＤシステムでは、リーダーからＲＦタグへの電力供給が十分でないために、ＲＦタグからリーダーへの通信距離に制約が出てしまうという問題がある。
【００１９】
その結果、ＲＦＩＤシステムとしては、通信距離を制限したシステムを構築するしかない。
【００２０】
今後、ＲＦＩＤシステムでは、ＲＦタグからリーダーへの通信距離を従来に比べて延ばす技術が求められている。
【００２１】
本発明は、リーダーからタグへの無線通信として、帯域幅を増やさずに周波数利用効率を改善することを１つの目的とする。
【００２２】
また、本発明は、タグからリーダーへの通信距離を延ばす為に、リーダーからタグへの電力供給効率を上げる送信方法を提供することを目的とする。
【００２３】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００２４】
（１）本発明では、タグと無線通信するリーダー装置において、符号の多値数を示す情報を含む無線信号としてタグに送信する手段と、タグからの無線信号を受信して復調する手段とを有するリーダー装置を用いる。
（２）また、本発明では、タグと無線通信するリーダー装置において、多値符号化変調した信号の各シンボルのピークを一定にし、各シンボルの振幅値を一部異ならせた信号として送出する送出手段と、タグからの信号を受信して復調する手段とを有するリーダー装置を用いる。
（３）また、本発明では、（２）記載の多値符号化はＮ値（Ｎは４以上）マンチェスタ符号化を用いる。
（４）また、本発明では、タグと無線通信するリーダー装置において、同期パターン信号を生成する手段と、データ識別のしきい値を示す信号を生成する手段と、これらの信号にデータを付加して、送出データとして出力する手段を有することを特徴とするリーダー装置を用いる。
（５）また、本発明では、タグと無線通信するリーダー装置において、複数の多値符号を行なう符号化手段と、該符号化手段の多値を制御する制御手段と、該符号化手段からの符号化信号のピークを一定にし、且つ複数シンボル中の一部シンボルの振幅を小さくする調整手段と、オフセットされた符号を変調する変調手段と、変調された信号を送信する手段と、受信信号を復調して、該制御手段に送出する復調手段とを有することを特徴とするリーダー装置を用いる。
（６）また、本発明では、タグへ無線信号を送出するリーダー装置の送信方法において、符号の多値数を示す情報を含む信号を生成し、生成された信号を振幅変調するリーダー装置の送信方法を用いる。
（７）また、本発明では、タグへ無線信号を送信するリーダー装置の送信方法において、同期パターン信号を生成するステップと、符号化信号のデータ識別のしきい値を示す信号を生成するステップと、同期パターン、しきい値を示す信号にデータを付加して、送出するステップとを有することを特徴とするリーダー装置の送信方法を用いる。
（８）また、本発明では、タグのＩＤを含む変調信号を受信するタグにおいて、変調前のマンチェスタ符号の多値数を識別する情報を付加した変調信号を受信し、復調する手段と、該多値数を識別する情報を検出して、その情報の多値に応じて復号処理を切り替えて、復号する復号手段とを有するタグを用いる。
（９）また、本発明では、符号化変調を用いて信号を送信するリーダ−装置において、前記信号における多値各シンボルのピーク値が一定になるようにオフセットして、送信する手段を有する。
（１０）また、本発明では、（９）記載の符号化変調はマンチェスタ符号化振幅変調を用いる。
【発明の効果】
【００２５】
本発明にかかるリーダー装置、その通信方法及びタグによれば、帯域幅を増やさずに周波数利用効率を改善でき、タグからリーダーへの通信距離を従来に比べて延ばすことが可能となります。
【発明を実施するための最良の形態】
【００２６】
以下、図面を参照することにより、本発明の実施の形態について説明する。
【００２７】
〔ａ〕本発明に係る実施形態の説明
図６は、本発明に係るリーダーの構成を示す図である。図７は、本発明に係る第１のコマンドフォーマットの構成を示す。
【００２８】
図６において、ＬＡＮ２１はリーダー１００のプロセッサ５０に動作を指示するコマンドまたはタグに書き込む情報信号等を送信し、またはリーダー１００のプロセッサ５０からのタイミング情報を受信する。プロセッサ５０はＲＦタグとの通信開始前に、プロセッサ５０で上位レイヤでのプロトコル処理により相手側のＲＦタグでの対応出来るマンチェスタ符号化の多値（たとえば、４値）数をＲＦタグのＩＤ等の取得により確認する。プロセッサ５０は自身で生成したコマンドおよびＬＡＮ２１から受信した情報信号を図７に示すコマンドフォーマットに示すデータに加工して、フィルタ１１へ出力する。プロセッサ５０の詳細構成については、後述説明する。
【００２９】
フィルタ１１はプロセッサ５０からのデータの帯域を制限した信号としてＡＳＫ変調器６０へ出力する。ＡＳＫ変調器６０は発振器１４からの搬送信号をフィルタ１１からのデータに基づいてＡＳＫ変調する。ＡＳＫ変調器６０はフィルタ１１から図７に示す、先頭からＰｒｅａｍｂｌｅ  Ｄｅｔｅｃｔ，Ｐｒｅａｍｂｌｅ，Ｄｅｌｉｍｉｔｅｒ，Ｃｏｍｍａｎｄ，Ｐｒａｍｅｔｅｒ，Ｄａｔａ及びＣＲＣ−１６からなるデータにＡＳＫ変調を行い、変調信号として増幅器１３へ出力する。増幅器１３はＡＳＫ変調器６０からの変調信号を増幅して、共用器１５、アンテナ１６を介して無線信号としてＲＦタグへ送信する。
【００３０】
リーダー１００はアンテナ１６でＲＦタグからの無線信号を受信する。受信された無線信号は共用器１５を介して増幅器２０で増幅され、直交ミキサ１９へ出力する。直交ミキサ１９は増幅された信号を発振器１４からの搬送信号でミキシングして、復調信号であるＩ（同相）信号とＱ（直交相）信号の両方をフィルタ１８へ出力する。フィルタ１８はＬＰＦで、高周波数成分を除去した信号を復調器１７へ出力する。復調器１７はフィルタ１８からの信号をデータに復調して、プロセッサ５０へ出力する。
【００３１】
ここでは、プロセッサ５０の動作について、図８のプロセッサ５０の構成を示す図を用い、以下のとおり説明する。
【００３２】
図８において、制御部５１はプロセッサ５０の上位レイヤ指示による制御信号をフレーム組立部５６へ出力する。ＣＲＣ付加部５２は自身で生成したコマンドおよびＬＡＮ２１からの情報信号である送信データを受信して、ＣＲＣ用１６ビットを付加して２値／４値マンチェスタ符号化部５４へ出力する。２値／４値マンチェスタ符号化部５４はプロセッサ５０からのイネーブル、ディゼーブル信号に応じて、４値マンチェスタ符号化処理するか、２値マンチェスタ符号化処理するかを切り替えて符号化処理して、フレーム組立部５６へ出力する。フレーム組立部５６はプリアンブルであるＰｒｅａｍｂｌｅ  Ｄｅｔｅｃｔ，Ｐｒｅａｍｂｌｅを先頭に制御部５１からアップリンクの伝送レートの情報、又はマンチェスタ符号化の多値数を示すＤｅｌｉｍｉｔｅｒと、２値／４値マンチェスタ符号部５４からのマンチェスタ符号化したデータとを付加することで、図７に示すフォーマツトの符号化データが得られる。
【００３３】
また、復調データは復号部５５へ入力される。復号部５５は復調器１７から復調データであるＦＭ０符号化データを復号処理して、誤り検出部５３へ出力する。誤り検出部５３は復号したデータのＣＲＣビットを用いて誤り検出及び誤り訂正して受信データとして出力する。
【００３４】
図９は本発明の４値マンチェスタ符号化変調信号の波形を示す。この図の波形信号は図６のＡＳＫ変調器６０から出力される信号に相当する。図において、４値各々の値の波形信号を示し、縦軸に振幅値が目盛られている。この波形はどの値のシンボルをとってもピーク値を一定にし、且つある値（例えば、マンチェスタ符号化“１１”，“００”）の波形信号の振幅を他の値（例えば、マンチェスタ符号化“１０”，“０１”）の波形信号の振幅と異ならせている。この信号がリーダーからＲＦタグへ送信され、この信号の振幅成分をＲＦタグで電力供給用として利用される。この信号の振幅値が大きな値をとるほどＲＦタグでの電力供給が増える。その結果、ＲＦタグは従来に比べリーダーへの送信距離を延ばせる。この４値の“１０”に注目すると、同じ１シンボル期間になる従来の図３の２値の“１”とパワー比を比べると１．５倍になり、その比較での通信距離はパワー比の平方根の値に相当し、従来の約１．２倍に延びる。
【００３５】
また、図１０は本発明の８値マンチェスタ符号化変調信号の波形を示す。この図の波形信号は図６のＡＳＫ変調器６０から出力される信号に相当する。図において、８値各々の値の波形信号を示し、縦軸に振幅値が目盛られている。この波形はどの値のシンボルをとってもピーク値を一定にし、且つ第一の値（例えば、マンチェスタ符号化“０００”，“１００”）の波形信号の振幅、第二の値（例えば、マンチェスタ符号化“００１”，“１０１”）の波形信号の振幅、第三の値（例えば、マンチェスタ符号化“０１０”，“１１０”）の波形信号の振幅及び第四の値（例えば、マンチェスタ符号化“０１１”，“１１１”）の波形信号の振幅のいずれも異ならせている。この信号がリーダーからＲＦタグへ送信され、この信号の振幅成分をＲＦタグで直流にして電力供給用として利用される。この信号の振幅値が大きいほどＲＦタグでの電力供給が増える。その結果、ＲＦタグは従来に比べリーダーへの送信距離を延ばせる。
【００３６】
図１１は本発明のＲＦタグの構成を示す。図１２は本発明のＲＦタグの論理部の構成を示す。
【００３７】
ＲＦタグ４００は図６のリーダー１００からの無線信号をアンテナ４１で受信する。アンテナ４１は受信した信号をＡＳＫ復調器４０１と電源生成４６へ出力する。電源生成４６は図示していないが整流器等で整流して直流電圧を発生し、各部の回路等に供給する。ＡＳＫ変調器４０１は受信信号を復調して、復調データを論理部４４に送る。
【００３８】
論理部４４については、図１２を用いて動作を以下に説明する。
【００３９】
論理部４４内の識別部４４７は復調データである図７に示すフォーマットのＰｒｅａｍｂｌｅで同期を取り、Ｄｅｌｉｍｉｔｅｒ（識別情報）でマンチェスタ符号化の多値数が４値又は２値か、または上り伝送レートを４倍にする等の情報が書き込まれているかを識別し、マンチェスタ符号化の多値数が４値であるとを識別したら復号部４４６へ４値であることを示す識別情報を送り、上り伝送レートを４倍にする指示情報であるとしたら、その上りレートを４倍にする指示情報をコマンド処理部４４１へ送る。さらに、識別部４４７は復調データであるＤｅｌｉｍｉｔｅｒまでのヘッダ以外の後続データであるＣｏｍｍａｎｄ，Ｐａｒａｍｅｔｅｒ，Ｄａｔａ及びＣＲＣ−１５の情報のみを復号部４４６に出力する。。復号部４４６は識別部４４７でＤｅｌｉｍｉｔｅｒの内容を識別した結果、つまり符号化の多値数等の情報を示す識別情報に基づいて、Ｃｏｍｍａｎｄ，Ｐａｒａｍｅｔｅｒ，Ｄａｔａ及びＣＲＣ−１５の情報を復号化して、誤り検出部４４５に出力する。具体的には、その識別情報が４値マンチェスタ符号化を示す場合、後続のデータが４値マンチェスタ符号化されていることが確認でき、４値マンチェスタ符号化信号として復号部４４６で復号化処理を行なう。また、復号４４６はその情報が４値マンチェスタ符号化を示す場合でなければ、２値マンチェスタ符号化信号として復号化処理する。誤り検出部４４５では、復号化した後のデータ中のＣＲＣビットを使用して、そのデータの誤り検出、訂正を行なう。
【００４０】
更に、誤り検出部４４５は訂正処理した受信データをコマンド処理部４４１に出力する。コマンド処理部４４１はＣｏｍｍａｎｄ内容を認識して、データ読み出しを示すＣｏｍｍａｎｄであれば、Ｃｏｍｍａｎｄに後続するＰａｒａｍｅｔｅｒ中のＩＤとメモリ４５中のＩＤとを比較して、一致していればＰａｒａｍｅｔｅｒ中のＡｄｄｒｅｓｓに対応するメモリ４５に格納されている情報を読み出す。また、コマンド処理部４４１は識別部４４７からの上り伝送レートを４倍にする指示情報を受信したら、変調器４３の使用しているレートを４倍にするようクロック速度を上げて送信レートを上げて送信する。
【００４１】
次に、ＲＦタグの送信処理について以下のとおり説明する。
【００４２】
ＣＲＣ付加部４４２はコマンド処理部４４１からの読み出された送信データに ＣＲＣビットを付加した信号をＦＭ０符号化部４４３に出力する。ＦＭ〇符号化部４４３はＣＲＣビットを付加した信号をＦＭ０符号化して、フレーム組立部でＰｒｅａｍｂｌｅ（プリアンブル）を付加して、符号化データとして変調器４３に出力する。、変調器４３は符号化データを変調して、リーダー１０に送信する。
【００４３】
また、コマンド処理部４４１は、誤り検出部４４５で復号したデータをＣＲＣ−１６であるＣＲＣ用１６ビットを利用して誤り検出、訂正された受信データ中のＣｏｍｍｍａｎｄ内容を認識して、ＲＦタグのメモリ４５へのデータの書き込みを示すＣｏｍｍａｎｄであれば、Ｃｏｍｍａｎｄに後続するＰａｒａｍｅｔｅｒ中のＩＤとメモリ４５中のＩＤと比較して、一致していればＰａｒａｍｅｔｅｒ中のＡｄｄｒｅｓｓにＰａｒａｍｅｔｅｒ後続のＤａｔａをメモリ４５に書き込む。
【００４４】
図１３には、第２のコマンドフォーマツトの構成を示す。
【００４５】
図１３において、図７の第１のコマンドフォーマットの構成と異なる箇所を説明する。
【００４６】
このフォーマットはＤｅｌｉｍｉｔｅｒの後にＭｕｌｔｉｌｅｖｅｌというデータ領域を追加したものである。
【００４７】
このＭｕｌｔｉｌｅｖｅｌは図９に示す４値マンチェスタ符号化変調信号の４値における各値のデータを識別する基準レベルを示す情報である。例えば、図９の波形を基に、マンチェスタ符号“００”，“０１”，“１０”，“１１”を順に、これ以降の個々のデータ識別のしきい値を示す情報として送信する。
【００４８】
また、このＭｕｌｔｉｌｅｖｅｌは図１０に示す８値マンチェスタ符号化変調信号の８値における各値のデータを識別する基準レベルを示す情報である。例えば、図１０の波形を基に、８値マンチェスタ符号“０００”，“００１”，“０１０”，“０１１”の４値のみしきい値を送り、これ以降の個々のデータ識別のしきい値を示す情報として送信する。但し、上記以外の“１００”，“１０１”，“１１０”，“１１１”については、“０００”，“００１”，“０１０”，“０１１”の順に同じしきい値を用いればよい。なぜなら、“１００”，“１０１”，“１１０”，“１１１”については、それぞれ“０００”，“００１”，“０１０”，“０１１”の順に同じ振幅であるので、重複して同じしきい値を送らなくて済む。もちろんのこと、重複してしきい値を送ってもかまわない。
【００４９】
上述では、マンチェスタ符号化で説明したが、符号化処理で差動マンチェスタ符号化を利用すると、復号化するタイミングがずれても復号化が可能なる。
【００５０】
上述の発明を実施するための最良の形態では、ＡＳＫ変調として説明したが、他のＱＰＳＫ、ＱＡＭ等の変調方式でも利用でき、さらに符号化についても４値，８値マンチェスタ符号化以外に１６値、２５６値の多値でも応用可能である。
【図面の簡単な説明】
【００５１】
【図１】従来のリーダーの構成を示すための図である。
【図２】従来のコマンドフォーマットの構成を示すための図である。
【図３】従来の２値マンチェスタ符号化ＡＳＫ信号の波形を示す図である。
【図４】従来のプロセッサの構成を示すための図である。
【図５】従来のＲＦタグの構成を示すための図である。
【図６】本発明のリーダーの構成を示すための図である。
【図７】本発明の第１のコマンドフォーマットの構成を示すための図である。
【図８】本発明のプロセッサの構成を示すための図である。
【図９】本発明の４値マンチェスタ符号化ＡＳＫ信号の波形を示す図である。
【図１０】本発明の８値マンチェスタ符号化ＡＳＫ信号の波形を示す図である。
【図１１】本発明のＲＦタグの構成を示すための図である。
【図１２】本発明のＲＦタグの論理部の構成を示すための図である。
【図１３】本発明の第２のコマンドフォーマットの構成を示すための図である。
【符号の説明】
【００５２】
１０        リーダー
１１，１８  フィルタ
１２        ＡＳＫ変調器
１３，２０  増幅器
１４        発振器
１５        共用器
１６，４１  アンテナ
１７        復調器
１９        直交ミキサ
２１        ＬＡＮ
３０，５０  プロセッサ
３１，５１  制御部
３２，５２  ＣＲＣ付加部
３３        ２値マンチェスタ符号化部
３４，５６  フレーム組立部
３５，５５  復号部
３６，５３  誤り検出部
４０，４００ＲＦタグ
４２，４０１ＡＳＫ復調器
４３        変調器
４４        論理部
４５        メモリ
４６        電源生成部
４４１      コマンド処理部
４４２      ＣＲＣ付加部
４４３      ＦＭ０符号化部
４４４      フレーム組立部
４４５      誤り検出部
４４６      復号部
４４７      識別部
【図１】
2006005651.tif 000003
【図２】
2006005651.tif 000004
【図３】
2006005651.tif 000005
【図４】
2006005651.tif 000006
【図５】
2006005651.tif 000007
【図６】
2006005651.tif 000008
【図７】
2006005651.tif 000009
【図８】
2006005651.tif 000010
【図９】
2006005651.tif 000011
【図１０】
2006005651.tif 000012
【図１１】
2006005651.tif 000013
【図１２】
2006005651.tif 000014
【図１３】
2006005651.tif 000015